(57)【要約】【課題】空地等の設置場所に建物を設けることなく設置することが可能であるとともに、設置場所の景観を良好なものとし、周辺住民の憩いの場としての機能を向上させることが可能な納骨施設を提供する。【解決手段】複数の納骨ユニット１０を連結して構成される納骨施設１００であって、納骨ユニット１０は、遺骨収容部３１が形成されたユニット本体３０と、ユニット本体３０に挿通される連結部５０と、を備え、複数のユニット本体３０を積層するとともに、複数の連結部５０同士を連結させることにより、複数の納骨ユニット１０を上下方向および水平方向に連結させて構成される。【選択図】図１
2020023855.tif 000002
【特許請求の範囲】
【請求項１】
複数の納骨ユニットを連結して構成される納骨施設であって、
前記納骨ユニットは、
遺骨収容部が形成されたユニット本体と、
前記ユニット本体に挿通される連結部と、を備え、
複数の前記ユニット本体を積層するとともに、複数の前記連結部同士を連結させることにより、複数の前記納骨ユニットを上下方向および水平方向に連結させて構成される、
納骨施設。
【請求項２】
前記連結部は、上下方向に配置される前記連結部同士を連結させるように配置されており、
複数の前記ユニット本体を、相互に水平方向にずらせて積層することにより、複数の前記納骨ユニットを上下方向および水平方向に連結させる、
請求項１に記載の納骨施設。
【請求項３】
複数の前記納骨ユニットのうち、第１の前記納骨ユニットおよび第２の前記納骨ユニットを水平方向に並設し、前記第１および前記第２の納骨ユニットの上部および／または下部において、前記第１および前記第２の納骨ユニットの両方に第３の前記納骨ユニットが連結されることにより、複数の前記納骨ユニットを上下方向および水平方向に連結させる、
請求項１または請求項２に記載の納骨施設。
【請求項４】
前記第１の納骨ユニットおよび前記第２の納骨ユニットは、
水平方向に間隔をおいて配置され、前記第３の納骨ユニットは、前記間隔の上方および／または下方に配置される、
請求項３に記載の納骨施設。
【請求項５】
前記第１の納骨ユニットおよび前記第２の納骨ユニットは、水平面内において相互に屈曲させた状態で連結可能である、
請求項３または請求項４に記載の納骨施設。
【請求項６】
前記第３の納骨ユニットは、前記第１および前記第２の納骨ユニットに対して水平方向に変位させた位置に連結される、
請求項３から請求項５のいずれか１項に記載の納骨施設。
【請求項７】
前記ユニット本体は、
上下方向に形成される複数の挿通孔、を有し、
前記連結部は、
連結部本体と、
前記連結部本体に設けられるとともに、前記挿通孔に挿通される挿通部と、
前記連結部本体に設けられるとともに、他の前記連結部に設けられた前記挿通部が取り付けられる取付部と、を有する、
請求項１から請求項６のいずれか１項に記載の納骨施設。
【請求項８】
前記ユニット本体は、
前記連結部本体を収容する連結部本体収容部が形成されている、
請求項７に記載の納骨施設。
【請求項９】
前記連結部本体収容部は、
内部に収容された前記連結部本体が回動可能な形状を有する、
請求項８に記載の納骨施設。
【発明の詳細な説明】
【技術分野】
【０００１】
本発明は、納骨施設に関し、より具体的には、複数の納骨ユニットを連結して構成される納骨施設に関する。
【背景技術】
【０００２】
従来、故人の遺骨を埋葬または安置し、故人を偲ぶための施設として墓地や霊園、納骨施設（納骨堂）が知られている。
【０００３】
近年は、高齢者人口の増加に伴って、墓地や霊園、納骨施設の需要が増加しており、特に都市部においてその傾向は顕著である。
【０００４】
都市部ではこれらの施設に対する需要増加に対応して施設の整備が求められているものの、施設を設置するための土地確保が困難であり、需要に対応できているとはいい難い状況である。
【０００５】
墓地や霊園、納骨施設のうち、新規に設置できる可能性が比較的高い施設は、納骨施設である。一般的な納骨施設は、建物の内部に多数の納骨壇がロッカー状に配置されている。各納骨壇は故人の遺骨を収容した骨壺を安置できるように構成されている（例えば、特許文献１参照）。
【先行技術文献】
【特許文献】
【０００６】
【特許文献１】特開２００９‐２１５８６９号公報
【発明の概要】
【発明が解決しようとする課題】
【０００７】
ところで、都市部には、休眠状態にある大小さまざまな空地が点在している。これらの空地に納骨施設を設置することができれば、都市部における納骨施設への需要に対応することが可能となる。
【０００８】
しかしながら、従来の納骨施設は、多数の納骨壇を内部に配置するための建物を設置する必要があり、納骨施設の規模は、設置される土地の面積だけでなく建物の大きさによって制限される。また、都市部の空地に納骨施設の建物を設置することは、設置場所周辺の景観に影響を与えるおそれがある。このため、都市部の空地に納骨施設を設置することは容易ではない。
【０００９】
本発明は、空地等の設置場所に建物を設けることなく設置することが可能であるとともに、設置場所の景観を良好なものとし、周辺住民の憩いの場としての機能を向上させることが可能な納骨施設を提供することを目的とする。
【課題を解決するための手段】
【００１０】
本発明の納骨施設は、複数の納骨ユニットを連結して構成される納骨施設であって、
前記納骨ユニットは、
遺骨収容部が形成されたユニット本体と、
前記ユニット本体に挿通される連結部と、を備え、
複数の前記ユニット本体を積層するとともに、複数の前記連結部同士を連結させることにより、複数の前記納骨ユニットを上下方向および水平方向に連結させて構成される。
【発明の効果】
【００１１】
本発明の納骨施設によれば、複数の納骨ユニットを上下方向および水平方向に連結させて構成されるため、建物を設けることなく設置することが可能であるとともに、納骨施設の規模を容易に変化させることができる。また、納骨施設の形態を自由に設定できるため、設置場所の景観を良好なものとし、周辺住民の憩いの場としての機能を向上させることができる。
【図面の簡単な説明】
【００１２】
【図１】図１は、本発明の実施形態１に係る納骨施設の正面図である。
【図２】図２は、納骨施設の平面図である。
【図３】図３は、図２のＡ―Ａ線における側面断面図である。
【図４】図４は、納骨ユニットの正面図である。
【図５】図５は、図４のＢ―Ｂ線における平面断面図である。
【図６】図６は、図４のＣ―Ｃ線における側面断面図である。
【図７】図７は、連結部の斜視図である。
【図８】図８は、納骨ユニット同士の相対角度を変化させて連結する状態を示す平面図である。
【図９】図９は、納骨ユニットを連結する状態を示す側面図である。
【図１０】図１０は、納骨施設のレイアウトの一例を示す平面図である。
【図１１】図１１は、納骨ユニットの他の例を示す平面図である。
【発明を実施するための形態】
【００１３】
本発明の一実施形態にかかる納骨施設は、複数の納骨ユニットを連結して構成される納骨施設であって、
前記納骨ユニットは、
遺骨収容部が形成されたユニット本体と、
前記ユニット本体に挿通される連結部と、を備え、
複数の前記ユニット本体を積層するとともに、複数の前記連結部同士を連結させることにより、複数の前記納骨ユニットを上下方向および水平方向に連結させて構成される（第１の構成）。
【００１４】
上記構成によれば、納骨施設は、複数の納骨ユニットを上下方向および水平方向に連結させて構成されるため、建物を設けることなく設置することが可能であるとともに、納骨施設の規模を容易に変化させることができる。また、納骨施設の形態を自由に設定できるため、設置場所の景観を良好なものとし、周辺住民の憩いの場としての機能を向上させることができる。
【００１５】
上記第１の構成において、
前記連結部は、上下方向に配置される前記連結部同士を連結させるように配置されており、
複数の前記ユニット本体を、相互に水平方向にずらせて積層することにより、複数の前記納骨ユニットを上下方向および水平方向に連結させてもよい（第２の構成）。
【００１６】
上記構成によれば、連結部は、上下方向に配置される連結部同士を連結するように構成されており、複数のユニット本体は、相互に水平方向にずらせて積層されることにより、複数の納骨ユニットを上下方向および水平方向に連結させる。このため、上下方向に連結させる簡易な構成の連結部を用いて、複数の納骨ユニットを上下方向および水平方向に連結させることができる。
【００１７】
上記第１または第２の構成において、
複数の前記納骨ユニットのうち、第１の前記納骨ユニットおよび第２の前記納骨ユニットを水平方向に並設し、前記第１および前記第２の納骨ユニットの上部および／または下部において、前記第１および前記第２の納骨ユニットの両方に第３の前記納骨ユニットが連結されることにより、複数の前記納骨ユニットを上下方向および水平方向に連結させてもよい（第３の構成）。
【００１８】
上記構成によれば、水平方向に並設される第１の納骨ユニットおよび第２の納骨ユニットを、上部および／または下部に配置される第３の納骨ユニットで連結することにより、複数の納骨ユニットを上下方向および水平方向に連結させることができる。
【００１９】
上記第３の構成において、
前記第１の納骨ユニットおよび前記第２の納骨ユニットは、
水平方向に間隔をおいて配置され、前記第３の納骨ユニットは、前記間隔の上方および／または下方に配置されてもよい（第４の構成）。
【００２０】
上記構成によれば、複数の納骨ユニットが間隔をおいて配置されるため、納骨ユニットの独立性を高め、心地よく故人を偲ぶ環境とすることができる。また、納骨ユニットの間隔により、納骨施設の高さが人の目の高さ以上となっても、視界を遮断せず、見通しがよいため、圧迫感の少ない納骨施設とすることができ、設置場所の景観を良好にすることができる。また、納骨ユニットの間に花等を供えることもできる。
【００２１】
上記第３または第４の構成において、
前記第１の納骨ユニットおよび前記第２の納骨ユニットは、水平面内において相互に屈曲させた状態で連結可能としてもよい（第５の構成）。
【００２２】
上記構成によれば、第１の納骨ユニットおよび第２の納骨ユニットは、水平面内において相互に屈曲させた状態で連結可能であるため、納骨施設を水平面内において湾曲させて設置することができる。このため、納骨施設の形状を設置場所に合わせることができるとともに、設置場所の景観を良好にすることができる。
【００２３】
上記第３から第５の構成において、
前記第３の納骨ユニットは、前記第１および前記第２の納骨ユニットに対して水平方向に変位させた位置に連結されてもよい（第６の構成）。
【００２４】
上記構成によれば、複数の納骨ユニットを水平方向および上下方向に連結させることにより、上段の納骨ユニットを下段の納骨ユニットに対して水平方向に変位させることができる。このため、納骨施設の形状を上下方向に傾斜させることができ、設置場所の景観を良好にすることができる。
【００２５】
上記第１から第６の構成において、
前記ユニット本体は、
上下方向に形成される複数の挿通孔、を有し、
前記連結部は、
連結部本体と、
前記連結部本体に設けられるとともに、前記挿通孔に挿通される挿通部と、
前記連結部本体に設けられるとともに、他の前記連結部に設けられた前記挿通部が取り付けられる取付部と、を有してもよい（第７の構成）。
【００２６】
上記構成によれば、複数のユニット本体が連結部によって連結されることにより納骨施設が構成されるため、納骨施設を容易に設置することができる。
【００２７】
上記第７の構成において、
前記ユニット本体は、
前記連結部本体を収容する連結部本体収容部が形成されていてもよい（第８の構成）。
【００２８】
上記構成によれば、連結部本体は、連結部本体収容部に収容されるため、外部から連結部が見えないようにすることができる。このため、納骨施設の安全性を高めることができるとともに、外観の体裁を向上させることができる。
【００２９】
上記第８の構成において、
前記連結部本体収容部は、
内部に収容された前記連結部本体が回動可能な形状を有してもよい（第９の構成）。
【００３０】
上記構成によれば、連結部本体収容部に収容された連結部本体が回動可能であることにより、第１の納骨ユニットおよび第２の納骨ユニットは、水平面内において相互に屈曲させた状態で連結可能である。
【００３１】
［実施形態１］
以下、図面を参照し、本発明の実施形態１に係る納骨施設１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材の寸法比は、必ずしも実際の寸法比を示すものではない。
【００３２】
［全体構成］
まず、納骨施設１００の全体構成について説明する。図１は、本発明の実施形態１に係る納骨施設１００の正面図である。図２は、納骨施設１００の平面図である。以下の図では、矢印Ｕは納骨施設１００の上方向を示し、矢印Ｄは下方向を示す。矢印Ｆは前方向、矢印Ｂは後方向を示す。矢印Ｒは右方向、矢印Ｌは左方向を示す。
【００３３】
図１に示すように、納骨施設１００は、複数の納骨ユニット１０を連結して構成されている。各納骨ユニット１０は、ユニット本体３０および連結部５０を備えている（図３参照）。本実施形態の各ユニット本体３０の外形は略直方体であり、遺骨収容部３１を備えている。納骨施設１００は、複数のユニット本体３０を積層するとともに、複数の連結部５０同士を連結させることにより、複数の納骨ユニット１０を上下方向および水平方向に連結させて構成されている（図３参照）。
【００３４】
本実施形態では、複数の納骨ユニット１０によって、第１段１０１、第２段１０２、第３段１０３、第４段１０４、および第５段１０５が構成されており、第１段１０１から第５段１０５までが上下方向に積層された構成を有している。また、図２に示すように、第１段１０１、第２段１０２、第３段１０３、第４段１０４、および第５段１０５はそれぞれ後方に突出するように湾曲しており、納骨施設１００全体として湾曲した形状となるように構成されている。
【００３５】
各段の構成についてより具体的に説明する。図１に示すように、第１段１０１は、複数の納骨ユニット１０がそれぞれ水平方向に間隔Ｓ１をおいて並設されている。例えば、第１段１０１を構成する納骨ユニット１０（１０１１）および納骨ユニット１０（１０１２）は、間隔Ｓ１をおいて並設されている。第１段１０１を構成する各納骨ユニット１０の下部は、設置場所の地面Ｇに埋設された基礎部１１０に連結されて固定されている。
【００３６】
第２段１０２は、複数の納骨ユニット１０が水平方向に間隔Ｓ２をおいて並設されている。例えば、第２段１０２を構成する納骨ユニット１０（１０２１）および納骨ユニット１０（１０２２）は、間隔Ｓ２をおいて並設されている。また、第２段１０２を構成する各納骨ユニット１０は、それぞれ、第１段１０１を構成する納骨ユニット１０間に形成される間隔Ｓ１の上方に配置されている。
【００３７】
具体的には、第２段１０２を構成する納骨ユニット１０（１０２１）は、第１段１０１を構成する納骨ユニット１０（１０１１）および納骨ユニット１０（１０１２）の間に形成される間隔Ｓ１の上方に配置されている。そして、第１段１０１を構成する納骨ユニット１０（１０１１）および納骨ユニット１０（１０１２）と、第２段１０２を構成する納骨ユニット１０（１０２１）は、連結部５０によって相互に連結されている。
【００３８】
第１段１０１を構成する納骨ユニット１０（１０１１）および納骨ユニット１０（１０１２）を本発明の第１および第２の納骨ユニットとすると、第２段１０２を構成する納骨ユニット１０（１０２１）は、本発明の第３の納骨ユニットに相当する。
【００３９】
同様に、第３段１０３は、複数の納骨ユニット１０が水平方向に間隔Ｓ３をおいて並設されている。例えば、第３段１０３を構成する納骨ユニット１０（１０３１）および納骨ユニット１０（１０３２）は、間隔Ｓ３をおいて並設されている。また、第３段１０３を構成する各納骨ユニット１０は、それぞれ、第２段１０２を構成する納骨ユニット１０間に形成される間隔Ｓ２の上方に配置されている。
【００４０】
具体的には、第３段１０３を構成する納骨ユニット１０（１０３１）は、第２段１０２を構成する納骨ユニット１０（１０２１）および納骨ユニット１０（１０２２）の間に形成される間隔Ｓ２の上方に配置されている。そして、第２段１０２を構成する納骨ユニット１０（１０２１）および納骨ユニット１０（１０２２）と、第３段１０３を構成する納骨ユニット１０（１０３１）および第１段１０１を構成する納骨ユニット１０（１０１１）は、連結部５０によって相互に連結されている。
【００４１】
第２段１０２を構成する納骨ユニット１０（１０２１）および納骨ユニット１０（１０２２）を本発明の第１および第２の納骨ユニットとすると、第３段１０３を構成する納骨ユニット１０（１０３１）および第１段１０１を構成する納骨ユニット１０（１０１１）は、本発明の第３の納骨ユニットに相当する。
【００４２】
また、第４段１０４は、複数の納骨ユニット１０が水平方向に間隔Ｓ４をおいて並設されている。例えば、第４段１０４を構成する納骨ユニット１０（１０４１）および納骨ユニット１０（１０４２）は、間隔Ｓ４をおいて並設されている。また、第４段１０４を構成する各納骨ユニット１０は、それぞれ、第３段１０３を構成する納骨ユニット１０間に形成される間隔Ｓ３の上方に配置されている。
【００４３】
具体的には、第４段１０４を構成する納骨ユニット１０（１０４１）は、第３段１０３を構成する納骨ユニット１０（１０３１）および納骨ユニット１０（１０３２）の間に形成される間隔Ｓ３の上方に配置されている。そして、第３段１０３を構成する納骨ユニット１０（１０３１）および納骨ユニット１０（１０３２）と、第４段１０４を構成する納骨ユニット１０（１０４１）および第２段１０２を構成する納骨ユニット１０（１０２１）は、連結部５０によって相互に連結されている。
【００４４】
第３段１０３を構成する納骨ユニット１０（１０３１）および納骨ユニット１０（１０３２）を本発明の第１および第２の納骨ユニットとすると、第４段１０４を構成する納骨ユニット１０（１０４１）および第２段１０２を構成する納骨ユニット１０（１０２１）は、本発明の第３の納骨ユニットに相当する。
【００４５】
第５段１０５は、複数の納骨ユニット１０が水平方向に間隔Ｓ５をおいて並設されている。例えば、第５段１０５を構成する納骨ユニット１０（１０５１）および納骨ユニット１０（１０５２）は、間隔Ｓ５をおいて並設されている。また、第５段１０５を構成する各納骨ユニット１０は、それぞれ、第４段１０４を構成する納骨ユニット１０間に形成される間隔Ｓ４の上方に配置されている。
【００４６】
具体的には、第５段１０５を構成する納骨ユニット１０（１０５１）は、第４段１０４を構成する納骨ユニット１０（１０４１）および納骨ユニット１０（１０４２）の間に形成される間隔Ｓ４の上方に配置されている。そして、第４段１０４を構成する納骨ユニット１０（１０４１）および納骨ユニット１０（１０４２）と、第５段１０５を構成する納骨ユニット１０（１０５１）は、連結部５０によって相互に連結されている。
【００４７】
第４段１０４を構成する納骨ユニット１０（１０４１）および納骨ユニット１０（１０４２）を本発明の第１および第２の納骨ユニットとすると、第５段１０５を構成する納骨ユニット１０（１０５１）は、本発明の第３の納骨ユニットに相当する。
【００４８】
図２に示すように、第１段１０１から第５段１０５を構成する納骨ユニット１０は、平面視では全体として湾曲するように構成されている。言い換えると、各段を構成する複数の納骨ユニット１０のうち、隣接する納骨ユニット１０は、水平面内において相互に屈曲させた状態で配置されている。本実施形態では、第１段１０１から第５段１０５を構成する複数の納骨ユニット１０は、平面視において、仮想の中心点Ｃに正対するように配置されている。
【００４９】
また、第１段１０１から第５段１０５までの各段は、上方の段が下方の段に対して前方に変位するように配置されている。具体的には、第１段１０１を構成する納骨ユニット１０（１０１１）および納骨ユニット１０（１０１２）と、第２段１０２を構成する納骨ユニット１０（１０２１）は連結部５０によって連結されており、納骨ユニット１０（１０１１）および納骨ユニット１０（１０１２）に対して納骨ユニット１０（１０２１）は前方に変位するように配置されている。
【００５０】
同様に、第２段１０２を構成する納骨ユニット１０（１０２１）および納骨ユニット１０（１０２２）に対して、第３段１０３を構成する納骨ユニット１０（１０３１）は前方に変位するように配置されている。
【００５１】
また、第３段１０３を構成する納骨ユニット１０（１０３１）および納骨ユニット１０（１０３２）に対して、第４段１０４を構成する納骨ユニット１０（１０４１）は前方に変位するように配置されている。
【００５２】
また、第４段１０４を構成する納骨ユニット１０（１０４１）および納骨ユニット１０（１０４２）に対して、第５段１０５を構成する納骨ユニット１０（１０５１）は前方に変位するように配置されている。
【００５３】
このため、第１段１０１から第５段１０５は、平面視において、いずれも仮想の中心点Ｃを中心とする円弧状に湾曲しており、下方の段から上方の段に向かうに従って、仮想の中心点Ｃからの曲率半径が短くなるように配置されている。
【００５４】
図３は、図２のＡ―Ａ線における側面断面図である。図３に示すように、連結部５０は、上下方向に配置される連結部５０同士を連結させるように配置されており、複数のユニット本体３０を、相互に水平方向にずらせて積層することにより、複数の納骨ユニット１０を上下方向および水平方向に連結させている。
【００５５】
第１段１０１を構成する納骨ユニット１０（１０１１）の連結部５０（５０１１）は、設置場所の地面Ｇに埋設された基礎部１１０に連結されて固定されている。
【００５６】
そして、第１段１０１を構成する納骨ユニット１０（１０１１）の連結部５０（５０１１）にユニット本体３０（３０１１）が挿通され、第２段１０２を構成する納骨ユニット１０（１０２１）の連結部５０（５０２１）に連結されることにより、第１段１０１を構成する納骨ユニット１０（１０１１）は、基礎部１１０に固定される。
【００５７】
同様に、第２段１０２を構成する納骨ユニット１０（１０２１）の連結部５０（５０２１）にユニット本体３０（３０２１）が挿通され、第３段１０３を構成する納骨ユニット１０（１０３１）の連結部５０（５０３１）に連結されることにより、第２段１０２を構成する納骨ユニット１０（１０２１）は、第１段１０１を構成する納骨ユニット１０（１０１１）に固定される。
【００５８】
第３段１０３を構成する納骨ユニット１０（１０３１）の連結部５０（５０３１）にユニット本体３０（３０３１）が挿通され、第４段１０４を構成する納骨ユニット１０（１０４１）の連結部５０（５０４１）に連結されることにより、第３段１０３を構成する納骨ユニット１０（１０３１）は、第２段１０２を構成する納骨ユニット１０（１０２１）に固定される。
【００５９】
第４段１０４を構成する納骨ユニット１０（１０４１）の連結部５０（５０４１）にユニット本体３０（３０４１）が挿通され、第５段１０５を構成する納骨ユニット１０（１０５１）の連結部５０（５０５１）に連結されることにより、第４段１０４を構成する納骨ユニット１０（１０４１）は、第３段１０３を構成する納骨ユニット１０（１０３１）に固定される。
【００６０】
第５段１０５を構成する納骨ユニット１０（１０５１）の連結部５０（５０５１）にユニット本体３０（３０５１）が挿通され、第５段１０５を構成する納骨ユニット１０（１０５１）の連結部５０（５０５１）に連結されて固定されることにより、第５段１０５を構成する納骨ユニット１０（１０５１）は、第４段１０４を構成する納骨ユニット１０（１０４１）に固定される。
【００６１】
［納骨ユニット］
次に、納骨ユニット１０の構成について詳細に説明する。図４は、納骨ユニット１０の正面図である。図５は、図４のＢ―Ｂ線における平面断面図である。図６は、図４のＣ―Ｃ線における側面断面図である。図７は、連結部５０の斜視図である。
【００６２】
図４に示すように、納骨ユニット１０は、ユニット本体３０および連結部５０を備えている。
【００６３】
ユニット本体３０は、略直方体の外形を有しており、遺骨収容部３１、挿通孔３３、連結部本体収容部３５を備えている（図５および図６参照）。
【００６４】
連結部５０は、ユニット本体３０を別の納骨ユニット１０のユニット本体３０と連結させる部材である。連結部５０は、連結部本体５１、挿通部５３、取付部５５（図５、図６参照）、ワッシャ５６、およびナット５７を有している（図７参照）。
【００６５】
ユニット本体３０は、御影石などの自然石を用いることが好ましいが、金属、コンクリート、合成樹脂などの素材を用いることもでき、ユニット本体３０の素材は限定されない。ユニット本体３０の素材としては、耐候性を有することが好ましい。また、ユニット本体３０の形状は略直方体の外形に限定されず、複数の遺骨ユニット１０を積層して相互に連結可能な形状であればよい。
【００６６】
遺骨収容部３１は、ユニット本体３０の内部に形成される空間である。遺骨収容部３１の開口部３２は、ユニット本体３０の正面に形成されている（図５および図６参照）。遺骨収容部３１の形状は限定されないが、例えば、１個から数個の程度の骨壷を配置でき、さらに故人の戒名、俗名、没年月日等を記載したプレート、供物等を配置できるスペースを確保することが好ましい。また、本実施形態では、開口部３２は開放されているが、開閉および施錠が可能な扉を設けてもよい。
【００６７】
挿通孔３３は、連結部５０の挿通部５３を挿通させる孔である。本実施形態では、挿通孔３３は、遺骨収容部３１を挟んで左右対称の位置であって、かつ前後方向の中央の位置において、上下方向に形成されている（図５および図６参照）。
【００６８】
図４に示すように、連結部本体収容部３５は、連結部５０の連結部本体５１を収容する部分である。連結部本体収容部３５は、ユニット本体３０の下部に形成されている。
【００６９】
連結部本体収容部３５は、内部に収容された連結部本体５１が水平方向に回動可能な形状を有している。具体的には、図５に示すように、連結部本体収容部３５は、平面視で連結部本体５１よりも大きく形成されており、連結部５０の挿通部５３が挿通孔３３に挿通された状態で、挿通部５３を軸として連結部本体５１が左右方向に回動可能とされている（図８参照）。このため、納骨ユニット１０同士の相対角度を変化させた状態で納骨ユニット１０同士を連結することが可能である。
【００７０】
連結部本体収容部３５の空間の高さは、連結部本体５１に別の連結部５０の挿通部５３が連結された状態で、別の連結部５０の挿通部５３が干渉しない高さに設定されている（図３参照）。
【００７１】
図７に示すように、連結部本体５１は、連結部５０の基体をなす部分である。本実施形態では、連結部本体５１は、平面視で長方形の金属板である。
【００７２】
挿通部５３は、ユニット本体３０に形成された挿通孔３３に挿通可能な金属棒である。挿通部５３は、連結部本体５１に対して垂直に立設されている。挿通部５３の上部には螺条が形成されており、ワッシャ５６を介してナット５７を螺合させることができる。挿通部５３の長さは、ユニット本体３０の挿通孔３３に挿通部５３を挿通させ、上部にナット５７を螺合させることができる長さとする。
【００７３】
取付部５５は、連結部本体５１に形成された貫通孔である。取付部５５は、他の連結部５０の挿通部５３を挿通させ取り付けることが可能である。取付部５５に他の連結部５０の挿通部５３を挿通させ、挿通部５３にワッシャ５６を介してナット５７を螺合させることにより、連結部５０同士を連結させることができる。
【００７４】
図８は、納骨ユニット１０同士の相対角度を変化させて連結する状態を示す平面図である。上述のように、連結部５０は、挿通部５３がユニット本体３０の挿通孔３３に挿通された状態で、挿通部５３を軸として左右方向に回動可能である。このため図８に示すように、例えば、下方に配置される納骨ユニット１０１１と上方に配置される納骨ユニット１０２１は、水平面内において相対角度を変化させることができ、相互に屈曲させた状態で連結させることが可能である。
【００７５】
［納骨ユニットの連結］
次に複数の納骨ユニット１０を連結する場合について説明する。図９は、納骨ユニット１０を連結する状態を示す側面図である。図９に示した納骨ユニット１０（１０１１）および納骨ユニット１０（１０２１）は、図３に示した納骨ユニット１０（１０１１）および納骨ユニット１０（１０２１）に対応している。
【００７６】
図９に示すように、納骨ユニット１０（１０１１）の連結部５０（５０１１）は、設置場所の地面Ｇに埋設された基礎部１１０に連結されて固定されている。
【００７７】
納骨ユニット１０（１０１１）の連結部５０（５０１１）には、ユニット本体３０（３０１１）が挿通されており、納骨ユニット１０（１０１１）の連結部５０（５０１１）と、上方に配置される納骨ユニット１０（１０２１）の連結部５０（５０２１）とが連結されることにより、納骨ユニット１０（１０１１）が基礎部１１０に固定される。
【００７８】
次に図９に示すように、納骨ユニット１０（１０２１）の連結部５０（５０２１）に、ユニット本体３０（３０２１）を挿通させる。具体的には、連結部５０（５０２１）の挿通部５３をユニット本体３０（３０２１）の挿通孔３３に挿通させる。
【００７９】
連結部５０（５０２１）の挿通部５３をユニット本体３０（３０２１）の挿通孔３３に挿通させた状態で、納骨ユニット１０（１０２１）の上方に配置される納骨ユニット１０（１０３１）の連結部５０（５０３１）を連結部５０（５０２１）に連結させる。具体的には、連結部５０（５０２１）の挿通部５３を連結部５０（５０３１）の取付部５５に挿通させ、ワッシャ５６を介してナット５７を螺合させる。これにより、納骨ユニット１０（１０２１）が納骨ユニット１０（１０１１）の上に固定される。以下、同様にして複数の納骨ユニット１０を水平方向および上下方向に連結していく。
【００８０】
［納骨施設のレイアウト］
図１０は、納骨施設１００のレイアウト２００の一例を示す平面図である。図１０に示すレイアウト２００では、都市部の空地に納骨施設１００を２基設置している。納骨施設１００の周囲には植栽Ｐを配置している。納骨施設１００の形状およびレイアウトは図１０に示したものに限定されず、様々な形状やレイアウトを採用することができる。また、植栽Ｐの他、芝生、ウッドデッキ、自然石などを配置することもできる。
【００８１】
以上説明した本実施形態に係る納骨施設１００によれば、複数の納骨ユニット１０を上下方向および水平方向に連結させて構成されるため、建物を設けることなく設置することが可能であるとともに、納骨施設１００の規模を容易に変化させることができる。また、納骨施設１００の形態を自由に設定できるため、設置場所の景観を良好なものとし、周辺住民の憩いの場としての機能を向上させることができる。
【００８２】
［変形例］
本発明に係る納骨施設は、上記説明した本実施形態に限定されない。例えば、納骨ユニット１０の形状や連結手段は、本実施形態のものに限定されない。
【００８３】
本実施形態の納骨ユニット１０は、ユニット本体３０を略直方体としたが、これに限定されない。例えば、図１１に示すように、ユニット本体１３０の形状を平面視で楕円形となるようにしてもよい。また、ユニット本体を截頭四角柱などのように他の立体形状としてもよい。
【００８４】
また、本実施形態の納骨ユニット１０は、ユニット本体３０の左右対称位置の２箇所に連結部５０を配置したが、これに限定されない。例えば、ユニット本体の左右対称位置以外の位置に連結部を配置してもよく、３箇所以上の位置に連結部を配置してもよい。
【００８５】
本実施形態では、納骨ユニット１０は、全て同じ形状を有するものとしたが、異なる形状の納骨ユニットを組み合わせてもよい。
【００８６】
本実施形態では、納骨ユニット１０は、上方の段が下方の段に対して前方に変位するように配置されているが、上方の段が下方の段の真上に配置されるようにしてもよい。
【００８７】
本実施形態では、納骨施設１００は、平面視で湾曲するように構成されているが、これに限定されない。例えば、平面視で直線状に構成されてもよく、直線と曲線を組み合わせた構成としてもよい。
【００８８】
本実施形態では、納骨施設１００は、屋外に設置されるとしたが、屋内に設置されてもよい。
【００８９】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【００９０】
１００  納骨施設
１０    納骨ユニット
３０    ユニット本体
３１    遺骨収容部
５０    連結部
【図１】
2020023855.tif 000003
【図２】
2020023855.tif 000004
【図３】
2020023855.tif 000005
【図４】
2020023855.tif 000006
【図５】
2020023855.tif 000007
【図６】
2020023855.tif 000008
【図７】
2020023855.tif 000009
【図８】
2020023855.tif 000010
【図９】
2020023855.tif 000011
【図１０】
2020023855.tif 000012
【図１１】
2020023855.tif 000013
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
複数の納骨ユニットを連結して構成される納骨施設であって、
前記納骨ユニットは、
遺骨収容部が形成されたユニット本体と、
前記ユニット本体に挿通される連結部と、を備え、
複数の前記ユニット本体を積層するとともに、複数の前記連結部同士を連結させることにより、複数の前記納骨ユニットを上下方向および水平方向に連結可能であり、
複数の前記納骨ユニットは、水平面内において相互に屈曲させた状態で連結可能であるとともに、連結される複数の前記納骨ユニットの相対的な回動角度は、前記連結部によって制限されている、
納骨施設。
【請求項２】
前記ユニット本体は、
上下方向に形成される複数の挿通孔、を有し、
前記連結部は、
連結部本体と、
前記連結部本体に設けられるとともに、前記挿通孔に挿通される挿通部と、
前記連結部本体に設けられるとともに、他の前記連結部に設けられた前記挿通部が取り付けられる取付部と、を有し、
前記ユニット本体は、さらに、
前記連結部本体を収容する連結部本体収容部が形成されており、
前記連結部本体収容部は、
内部に収容された前記連結部本体が回動可能な形状であるとともに、前記連結部本体の回動角度を所定角度に制限する形状を有する、
請求項１に記載の納骨施設。
【請求項３】
前記連結部は、上下方向に配置される前記連結部同士を連結させるように配置されており、
複数の前記ユニット本体を、相互に水平方向にずらせて積層することにより、複数の前記納骨ユニットを上下方向および水平方向に連結させる、
請求項１または請求項２に記載の納骨施設。
【請求項４】
複数の前記納骨ユニットのうち、第１の前記納骨ユニットおよび第２の前記納骨ユニットを水平方向に並設し、前記第１および前記第２の納骨ユニットの上部および／または下部において、前記第１および前記第２の納骨ユニットの両方に第３の前記納骨ユニットが連結されることにより、複数の前記納骨ユニットを上下方向および水平方向に連結させる、
請求項１から請求項３のいずれか１項に記載の納骨施設。
【請求項５】
前記第１の納骨ユニットおよび前記第２の納骨ユニットは、
水平方向に間隔をおいて配置され、前記第３の納骨ユニットは、前記間隔の上方および／または下方に配置される、
請求項４に記載の納骨施設。
【請求項６】
前記第３の納骨ユニットは、前記第１および前記第２の納骨ユニットに対して水平方向に変位させた位置に連結される、
請求項４または請求項５に記載の納骨施設。